Podtech/llm-jp-corpus-v4-ja_patent huggingface dataset:
(57)【要約】      （修正有）【課題】誰もが簡単に足の指と指の間を清掃出来る足の指間清掃用具を開発・提供する。【解決手段】正面視形状が所定の幅Ｗと所定の長さＬと所定の厚みを有し、一端が極細長形状で他端に向けて徐々に幅広の袋状又は一枚織りに編み込み形成したアクリル繊維等の布地１を設け、布地を水又はお湯に浸し洗剤を塗布し、極細部１ａの先端を指間に挟入し、幅広部１ｂ方向に向けて繰り返し滑らす事で指間及び足裏面部の汚れを除去し、幅広部面においては、足の指先・足裏面部の汚れや落屑を除去する。【選択図】図１
0003106497.tif 000002
【実用新案登録請求の範囲】
【請求項１】
人体の足の指（ＬＦ）と指（ＬＦ）の間に挟んで滑らせながら指間及び足裏面部の汚れを除去する清掃具であって、該清掃具は正面視形状が所定の幅（Ｗ）と所定の長さ（Ｌ）と所定の厚み（Ｔ）を有し、且つ、一端が極細長形状で他端に向けて徐々に幅広の袋状又は一枚織りに編み込み形成したアクリル繊維等の布地（１）を設け、且つ、該布地（１）を水又はお湯（ＷＡ）に浸し洗剤（Ｓ）を塗布し、極細部（１ａ）の先端を指間に挟入し、幅広部（１ｂ）方向に向けて繰り返し滑らす事で指間及び足裏面部の汚れを除去し、幅広部（１ｂ）面においては、足の指先・足裏面部の汚れや落屑を除去する事を特徴とする足の指間清掃具。
【考案の詳細な説明】
【技術分野】
【０００１】
この考案は、足の指間清掃用具に関するものである。
【背景技術】
【０００２】
従来、人間の身体は洗顔や歯磨きや入浴やシャワーを浴びる等して清潔状態を維持しているが、細かい手の届き難い部分に関しては時間をかけて洗うか、特殊な用具を使用したり、薬品を使用したりして汚れを取り除いている。
【０００３】
これまでに多くの清掃用具が提案され、出願されているが、特に人体の清掃用具に関するものは、ピアス穴清掃用具や歯間清掃用具や口腔内清掃拭掃用簡易開口器等が公開になっている。しかし、今日現在では足の指間清掃具に関する特許文献は見当たらない為、前記のピアス穴清掃用具・歯間清掃用具・口腔内清掃拭掃用簡易開口器の特許文献を参考の為に紹介する。（特許文献１〜３参照。）
【特許文献１】特開平１０−２１５９２４
【特許文献２】特開平１１−１３７５７７
【特許文献３】特開２００１−１２０５８０
【考案の開示】
【考案が解決しようとする課題】
【０００４】
そこで、上記課題を解決する為に、この考案は誰もが簡単に足の指と指の間を清掃出来る足の指間清掃用具を開発・提供する事にある。
【課題を解決するための手段】
【０００５】
この課題を解決する為の手段として、この考案の足の指間清掃具は正面視形状が所定の幅と所定の長さと所定の厚みを有し、且つ、一端が極細長形状で他端に向けて徐々に幅広の袋状又は一枚織りに編み込み形成したアクリル繊維等の布地を設け、且つ、該布地を水又はお湯に浸し洗剤を塗布し、極細部の先端を指間に挟入し、幅広部方向に向けて繰り返し滑らす事で指間及び足裏面部の汚れを除去し、幅広部面においては、足の指先・足裏面部の汚れや落屑を除去するものである。
【考案の効果】
【０００６】
この考案の効果として、所定の幅と所定の長さと所定の厚みを有し、且つ、一端が極細長形状で他端に向けて徐々に幅広の袋状、又は一枚織りに編み込み形成したアクリル繊維等の布地を設け、且つ、該布地を水又はお湯に浸し洗剤を塗布し、極細部の先端を指間に挟入し、幅広部方向に向けて繰り返し滑らす事で指間及び足裏面部の汚れを除去する事で、誰もが簡単に足の指と指の間を清掃出来る為、特に水虫で悩んでいる人、又、お年寄りや身障者等に極めて有益なる効果を奏するものである。
【０００７】
又、この考案の幅広部（１ｂ）の面を使用して擦るだけで、表面皮膚の落屑を除去し、患部の環境を整える為、残存する皮膚内の真菌に直接水虫の薬を塗布する事で治癒への効果が極めて高く、少量の薬で短期間の内に治るので副作用の心配も無くなる。
【０００８】
又、胸の脇の毛にコーティング状に纏わり付く腋下腺分泌物を簡単に除去出来、更に、足の指間や裏面部の清掃が簡単・確実に出来る為、翌日には嫌な匂いが無くなり爽快な気分を味わう事が出来る。
【考案を実施するための最良の形態】
【０００９】
この考案の最良の形態として、寸法・形状については子供から大人が使用可能な最適な寸法を選定し、且つ、極細部と幅広部間は滑らかなＲ形状に形成して極力必要以上に肌に負担をかけない様にすることが重要である。
【実施例１】
【００１０】
この考案の一実施例を、図１に基づいて詳述すると、人体の足の指（ＬＦ）と指（ＬＦ）の間に挟んで滑らせながら指間及び足裏面部の汚れを除去する清掃具であって、該清掃具は正面視形状が所定の幅（Ｗ）と所定の長さ（Ｌ）と所定の厚み（Ｔ）を有し、且つ、一端が極細長形状で他端に向けて徐々に幅広の袋状又は一枚織りに編み込み形成したアクリル繊維等の布地（１）を設け、且つ、該布地（１）を水又はお湯（ＷＡ）に浸し洗剤（Ｓ）を塗布し、極細部（１ａ）の先端を指間に挟入し、幅広部（１ｂ）方向に向けて繰り返し滑らす事で指間及び足裏面部の汚れを除去し、幅広部（１ｂ）面においては、足の指先・足裏面部の汚れや落屑を除去する事を特徴とする足の指間清掃具から構成される。
【００１１】
次に、この考案の詳細な寸法・形状を説明すると、全幅（Ｗ）が１６０ｍｍで、全長（Ｌ）が約４８０ｍｍで厚み（Ｔ）が約３ｍｍで、極細部（１ａ）の幅が３０ｍｍで、幅広部（１ｂ）の長さが約１５０ｍｍで、極細部（１ａ）から幅広部（１ｂ）にかけて滑らかなＲ形状を設けて、足の指間に狭入して滑らし易く、汚れが取れ易い形状に形成している。
【００１２】
又、布地（１）の厚み（Ｔ）も全体を袋状に編み込み形成し、若干の厚み（Ｔ）を持たせる事で、水やお湯又洗剤を含み易くし、汚れを落とし易くしている。
【００１３】
次に、使用方法を説明すると、図２に示す様に、まず、布地（１）の極細部（１ａ）を指と指の間に挟入し、その後、布地（１）の極細部（１ａ）と幅広部（１ｂ）の両端部を両手で持って、汚れが取れるまで上下方向に繰り返し移動させながら、足の裏面にかけて綺麗に汚れを除去する。又、幅広部（１ｂ）の面を使用して足の指先を始め、その周辺部の汚れ・落屑を除去する。そして、汚れが完全に取れたら綺麗な水又はお湯で洗い流す。又、特に水虫の人は落屑を丁寧に除去し、綺麗に洗い流した後に、足を乾燥させて薬を塗布する。
【００１４】
又、この考案は上記の指間のみならず、幅広部（１ｂ）の面を使用して胸の両脇部に付着した腋下腺分泌物を除去する事も出来る。
【産業上の利用可能性】
【００１５】
この考案の足の指間清掃具は、人体の足の指と指の間に挟んで滑らせながら指間及び足裏面部の汚れや落屑を簡単に除去する事で、多くの市場に寄与する点で、産業上の利用可能性を有する。
【図面の簡単な説明】
【００１６】
【図１】この考案の一実施例を示し、（Ａ）は平面図で、（Ｂ）は正面図である。
【図２】この考案の使用例を示し、斜視図である。
【符号の説明】
【００１７】
１  布地
１ａ  極細部
１ｂ  幅広部
Ｌ  所定長さ
ＬＦ  足の指
Ｗ  所定幅
ＷＡ  水又はお湯
Ｓ  洗剤
Ｔ  所定の厚み
【図１】
0003106497.tif 000003
【図２】
0003106497.tif 000004
(57)【要約】【目的】球技用のネットは、上縁に沿って備えられた張り綱・ワイヤーを巻き取り器で緊張設するもので、競技中は張り具合を最大限の状態で保持しなければならないため、巻き取り器は常時、支柱の上方に引っ張られており、この状態が緩めばネットの緊張設状態は解除され、巻き取り器が上方に移動して、操作者が巻込まれ、思わぬ事故になる例があるので、これを防止することを目的にしている。【構成】  コートにネットを張設するのに使用される球技用の支柱において、該支柱に固定して、張り綱・ワイヤーを巻き込んでネットを緊張設する巻き取り器の固定用バンドの間に、この巻き取り器が上方に移動することを防止する突起を設け、  また、該突起は、複数の異なる位置に取り付けできるように着脱自在であることを特徴とする球技用支柱。【選択図】  図３
0003106492.tif 000002
【実用新案登録請求の範囲】
【請求項１】
コートにネットを張設するに使用される球技用の支柱において、該支柱に固定して、張り綱・ワイヤーを巻き込んでネットを緊張設する巻き取り器の固定用バンドの間に、この巻き取り器が上方に移動することを防止する突起を設けたことを特徴とする球技用支柱。
【請求項２】
球技用支柱に設けられた巻き取り器が上方に移動することを防止する突起は、着脱自在に設けられ、複数の異なる位置に取付けられるようにしたことを特徴とする請求項１記載の球技用支柱。
【考案の詳細な説明】
【技術分野】
【０００１】  本考案は、テニスやバレー等に使用されるネットを緊張設するための球技用支柱に係り、特に、巻き取り器が上方に移動することを防止するものである。
【背景技術】
【０００２】  テニスやバレー等に使用されるネットを緊張設するためには、ネットの上縁に沿って備えられた張り綱・ワイヤーを支柱に取付けた巻き取り器で巻込んで行われるのが通常である。
したがって、競技中は張り綱・ワイヤーを最大限の緊張状態で保持しなければならないために、支柱に取付けた巻き取り器は、常時、支柱の上方に引っ張られていることになる。
この固定状態が少しでも緩めば、ネットの緊張設状態は解除されるばかりでなく、巻き取り器が上方に移動することを意味し、操作者が巻込まれ、思わぬ事故になる例が発生している。
【考案が解決しようとする課題】
【０００３】  そこで本考案は、前記説明の事故例に鑑み、ネットの緊張設状態を保持するとともに、支柱に取付けられた巻き取り器が上方に移動することを防ぎ、事故防止に役立てようとするものである。
【課題を解決するための手段】
【０００４】  本考案は前記目的を達成するため、コートにネットを張設するために使用される球技用の支柱において、
該支柱に固定して、張り綱・ワイヤーを巻き込んでネットを緊張設する巻き取り器の固定用バンドの間に、この巻き取り器が上方に移動することを防止する突起を設け、さらに、該突起を着脱自在にして、複数の異なる位置に取付けられるようにして、問題解決の手段としている。
【考案を実施するための最良の形態】
【０００６】  本考案実施の形態を実施例に基づき、図面を参照して説明する。
図１は、一般的に使用されているネットを緊張設するための巻き取り器を示しており、支柱に固定するためのバンド１２が、適宜な間隔を有して上下２個所に本体１１と一体的に備えられている。【０００７】  図２は、巻き取り器２１が支柱２２に取付けられてネット２３を緊張設する（張り綱・ワイヤーは省略）例の状態を示していて、符号２４は支柱を支える綱である。
図中、図１と図２の巻き取り器が相違しているが、要は、支柱への固定バンドが適宜な間隔を有して備えている巻き取り器であれば、本考案の作用効果になんら差し支えは無い。【０００８】  図３は本考案を示す説明図で、支柱１に固定される巻き取り器５は、適宜な間隔を有して上下２個所に本体と一体的な固定バンド６を備えていて、この巻き取り器５は、ハンドル２を回転させて張り綱・ワイヤー４を巻込んでネット３を緊張設するものである。
尚、図中符号８で示された支柱１と一体的な金具は、ネット３の下縁角を引っ掛けて固定するためのものである。
また、符号７の突起は、上下２個所に備えられている前記固定バンド６間に設けられ、巻き取り器５が上方に引っ張られて移動することを防止するストッパーの役目を果たすものである。
さらにこの突起７は、例えばテニスとバレーとではネットの設置位置が違っていることに着目し、着脱自在に設けて（図示省略）各競技のネット位置に合せ、異なる複数の位置に着脱自在に取付けて、複数の球技に対応できるようにしている。
【考案の効果】
【０００９】  本考案は以上説明のように、支柱１に固定された巻き取り器５は、常時、ネット３を緊張設状態に保持するため、絶えず上方に引っ張られることとなり、固定バンド６での固定も徐々に緩んでくることもあり、操作者が巻込まれ、思わぬ事故になる例が発生しているが、これらの事故を防止する効果が大いに期待できるばかりでなく、突起の位置を異なる複数の位置に着脱自在に取付けているので、テニスやバレーなどのネット位置が異なる複数の球技にも対応できる等の効果も奏する。
【図面の簡単な説明】
【図１】一般的な巻き取り器を説明する図である。
【図２】巻き取り器を支柱に取付けた状態を示す説明図である。
【図３】巻き取り器を取付けた状態での、本考案を示す説明図である。
【符号の説明】
１支柱    ２ハンドル    ３ネット    ４張り綱・ワイヤー    ５巻き取り器本体
６固定バンド    ７突起    ８金具
【図１】
0003106492.tif 000003
【図２】
0003106492.tif 000004
【図３】
0003106492.tif 000005
(57)【要約】【要  約】【課  題】    集積されたごみ袋を周囲から完全に隔離する。【解決手段】  長方形状の２枚のネット１が前記長方形の３辺で表裏が接続され、残る１辺が開口する袋状で、この開口部２の全周にわたってひも３が挿通され、ひも３を引いて開口部２を閉じることのできるごみ集積場所用袋状ネットを実現する。【選択図】    図１
0003106493.tif 000002
【実用新案登録請求の範囲】
【請求項１】
長方形状の２枚のネット（１）が前記長方形の３辺で表裏が接続され、残る１辺が開口する袋状で、この開口部（２）の全周にわたってひも（３）が挿通され、ひも（３）を引いて開口部（２）を閉じることのできるごみ集積場所用袋状ネット。
【考案の詳細な説明】
【技術分野】
【０００１】
本考案は、住宅街等に設置されるごみ集積場所において使用する袋状ネットに関する。
【背景技術】
【０００２】
一般家庭、病院、学校、飲食店等で日々発生する「生ごみ」は、透明、あるいは半透明な樹脂フィルム製のごみ袋に収納して一般の「燃えるごみ」等と合わせ、道路脇に指定されたごみ集積場所に集められ、自治体等のごみ収集車がこれを収集してごみ処理場へ搬送することが行われている。ごみ収集車の巡回時間に合わせてごみ出しをすれば問題はないが、完全な励行は困難であり、一般にはごみ出しから収集までのかなりの時間、生ごみが集積場所に放置され、カラスや野良猫等が餌あさりをするためポリ袋が破られ、ごみが周囲に放散されるばかりでなく悪臭やハエ等の発生、土壌の汚染などの問題をひき起こしている。
【０００３】
こうした問題に対処するため、鋼製の枠を設け、そのなかにごみ袋を収納することも一部で行われているが道路脇に設置すると交通の障害になる。また補修の手間や費用も問題である。また集積されたポリ袋に平面状のネットをかぶせることも行われている。図３はその一例で、１は四辺形状のネット、３はその１辺に挿通されたひも、４はごみ集積場所の壁、あるいは柱に設けられたフック、５はネット１の角部等に取り付けられたウエイト、Ｇは生ごみを入れたごみ袋である。すなわち、この例で示すネット１は所定のメッシュで編まれた樹脂製のもので、１辺、例えば上になる辺にひも３が挿通されており、下になる角部にウエイト５が取り付けてある。集積された生ごみの入ったごみ袋Ｇにこのネット１をかぶせ、ひも３の両端をフック４にかけ、ウエイト５ですそを広げるようにして固定すると、カラスや野良猫等が生ごみをあさろうとしてもタッチできず、破られることがない。
【０００４】
しかしこのような平面状のネットは、小動物の侵入を阻止できるように完全にかぶせるのが困難であり、またごみ出しする場合にもひも３を外すか、ウエイト５を持ち上げるなどの手間がかかり、ネットかぶせ作業が完全に励行されず不完全になりがちであり、このため効果を発揮できないという問題点がある。
【考案の開示】
【考案が解決しようとする課題】
【０００５】
本考案は、このような問題点を解消し、誰でも容易に、かつ完全にごみ袋を周囲から隔離できる袋状ネットを実現することを目的とする。
【課題を解決するための手段】
【０００６】
本考案は、長方形状の２枚のネットが前記長方形の３辺で表裏が接続され、残る１辺が開口する袋状で、この開口部の全周にわたってひもが挿通され、ひもを引いて開口部を閉じることのできるごみ集積場所用袋状ネットである。
【考案の効果】
【０００７】
本考案によれば、ごみ出しをする場合は袋状ネットのひもをほどいて袋の中へ入れ、後はひもを引いて開口部を閉じるようにすればごみ袋は完全に袋状ネットの中へ収納され、ネットからはみ出すなどのことがないのでカラスや野良猫等がタッチできず、ごみ集積場所が好ましい環境に保持されるという、すぐれた効果を奏する。
【考案を実施するための最良の形態】
【０００８】
本考案の実施例を図面により説明する。図１は実施例のごみ集積場所用袋状ネットを示す斜視図で、１はネット、２は袋状になったネット１の開口部、３は開口部２に挿通されたひもである。長方形状の２枚のネット１が前記長方形の３辺で表裏が接続され、残る１辺が開口する袋状となっている。表裏が接続する３辺については連続したシートを折り返して形成してもよいし、表裏を重ねて縫い合わせてもよい。この開口部２の全周にわたってひも３が挿通され、ひも３を引いて開口部２を閉じることができる。前記のひも３の挿通部分は、この例ではネット１の端部を折り返して形成されている。長方形の２辺は例えば２ｍ×３ｍである。
【０００９】
ネット１ならびにひも３をいずれもナイロン等の樹脂製繊維を撚ったもので形成すれば、好ましい色に着色でき、丈夫で、水を含んで重くなるようなこともなく、洗浄も容易であるから、ごみ集積場所を常に清潔に保つことができる。カラスの嫌う色や臭いなどもいろいろ研究されている。ナイロン製とした場合、２ｍ×３ｍの長方形状の袋状ネットで重量は５００グラム程度であり、取り扱いや持ち運びも容易である。
【００１０】
図２はこのごみ集積場所用袋状ネットの使用状態を示すごみ集積場所の斜視図で、４は
ごみ集積場所の壁、あるいは柱に設けられたフック、Ｇは生ごみを入れたごみ袋である。
【００１１】
ひも３を引いて開口部２をしぼり、閉じた上でひもの先端をフック４に掛けるなどしておけば、ごみ袋は完全に周囲から隔離され、見た目にも清潔であり、カラスや野良猫等も寄りつかず、街角の美観が損なわれることがない。
【００１２】
ごみ収集の際は、ひも３をゆるめて開口部２を開き、収納されているごみ袋Ｇを取り出して空になった袋状ネットを丸めるか折り畳むなどし、あるいは小さな袋に入れててその場所に戻しておけば、かさばらず、見苦しさが全くない。
【００１３】
本考案の袋状ネットを実際にテストしたところ、生ごみを引き出すことができないので約１カ月でカラスが寄りつかなくなり、上々の成績であった。
【図面の簡単な説明】
【００１４】
【図１】本考案の実施例の袋状ネットを示す斜視図である。
【図２】図１に示した袋状ネットの使用状態を示すごみ集積場所の斜視図である。
【図３】従来の平面状のネットの使用状態を示すごみ集積場所の斜視図である。
【符号の説明】
【００１５】
１    ネット
２    開口部
３    ひも
４    フック
５    ウエイト
Ｇ    ごみ袋
【図１】
0003106493.tif 000003
【図２】
0003106493.tif 000004
【図３】
0003106493.tif 000005
(57)【要約】      （修正有）【課題】敷き布団カバーにおねしょパットを取り外しが出来るように付け、おねしょパットのずれを防ぎ、敷き布団に同時にカバーとおねしょパットを付けられるようにする。【解決手段】敷き布団カバーの内側に凹ホックを付け、おねしょパットの表側に凸ホックを付け、取り付け外しが出来るようにする。【選択図】図３
0003106418.tif 000002
【実用新案登録請求の範囲】
【請求項１】
子供用お昼寝布団の敷き布団カバーの内側に、おねしょパットを取り外しの出来るように、ホックで留めた敷き布団カバー。
【考案の詳細な説明】
【考案の開示】
［考案が解決しようとする課題］
【０００１】従来、保育園などで使うお昼寝布団では、おねしょをした際、敷き布団がびしょびしょになり、繰り返すことで敷き布団に匂いがしみ込んでしまっていた。だからといって、おねしょパットを使うには、ずれたり表裏が分からなかったりと不便さがあったため、家庭外ではなかなか使われなかった。こうしたことから、おねしょパットを効率よく使える方法はないかという問題点を有した。
［課題を解決するための手段］
【０００２】上記目的を達成するために、敷き布団カバーの内側に凹ホックを付け、おねしょパットの表側に凸ホックを付け、取り付け外しが出来るようにした。
［考案の効果］
【０００３】敷き布団におしっこが染み込むことがなく、敷き布団カバーとおねしょパットの掛け外しが一度に出来るようになり、おねしょをしない日にはそのまま布団をたたんでもおねしょパットがずれることなく、次回敷くときにはホックがおねしょパットの付いている側を示してくれる。
【図面の簡単な説明】
【０００４】［図１］敷き布団カバーとおねしょパットにホックを付けた図である。
［図２］敷き布団カバーの内側へおねしょパットを留めた図である。
［図３］おねしょパットを付けた敷き布団カバーを敷き布団に掛けたときの断面図である。
【符号の説明】
【０００５】１敷き布団カバー
２おねしょパット
３凹ホック
４凸ホック
５敷き布団
【図１】
0003106418.tif 000003
【図２】
0003106418.tif 000004
【図３】
0003106418.tif 000005
(57)【要約】      （修正有）【課題】老齢又は疾病に依って排尿力が低下して放尿の終わりにきちっと止まらず、雫の様にたらたらと垂れて下着類を濡らして困る事を解決する方法に関するものである。【解決手段】薄板を素材とする数個の同型の円錐を、口径を漸減しつつ底面に平行して等高に切断した裁頭円錐形誘導管を順繰りに挿入して形成した連帯７は各誘導管の小口径部に設けたストッパ−が短縮時に機能し、また接触部５、６が伸張時に働いて連帯を伸張、短縮自在とした、使用及び携帯に便利な本考案の排尿補助具に依ってこの問題は解決できる。【選択図】図２
0003106417.tif 000002
【実用新案登録請求の範囲】
【請求項１】
薄板を素材とする数個の同型の円錐を、口径を漸減しつつ底面に平行して等高に切断した裁頭円錐形の誘導管（１、２、３、……）を順繰りに挿入して形成した連帯７はストッパ−（１’、２’、３’……）に依って短縮を保ち、接触部（５、６、……）に依って伸張を保つことに依り連帯７の伸張、短縮自在を特長とする排尿補助具の構造。
【考案の詳細な説明】
【考案の詳細な説明】
［考案の属する技術分野］
【０００１】  本考案は排尿力が低下して排尿の終わりにきちっと止まらず下着類を濡らして困る事に対処する器具に係わるものである。    ［従来の技術］
【０００２】  斯様に難渋する事に対して何の対策もなかった。    ［考案が解決しようとする課題］
【０００３】  軽便で衛生的効果のある器具を提供するにある。    ［課題を解決する為の手段］
【０００４】  薄板を素材とする数個の同型の円錐を口径を漸減しつつ底面に平行して等高に切断した裁頭円錐形の誘導管（１、２、３、……）を順繰りに挿入して形成した連帯７はストッパ−（１’、２’、３’……）に依って短縮を保ち、また接触部（５、６、……）に依って伸張を保つことで連帯７の伸張、短縮が自在になる様に工夫されて居るので排尿の際本考案の排尿補助具を使用すれば下着類を濡らす悩みは簡単に解消される。    ［考案の実施の形態］
【０００５】  誘導管（１、２、３）を以て連帯７を形成する形態として図面を参照して説明する。携帯ケ−ス４から短縮した連帯７を取り出して伸張にかかると［図２］に示す接触部５及び接触部６が働いて完全に伸張した連帯７が形成されるので、誘導管１に陰茎を入れて放尿する。終了後水洗して払拭し短縮して携帯ケ−ス４に収納する。    ［考案の効果］
【０００６】  本考案の連帯７の先端は下着から充分に離れているので下着を濡らすことは無く“立ち小便、良くぞ男に生れけり”の壮快さに復活、嵩ばらず無臭で衛生的、簡便で携帯至便である。
【図面の簡単な説明】
【図１】本考案、誘導管（１、２、３）が伸張した連帯７の正面図。
【図２】本考案の連帯７をＡ−Ａで切断した縦断正面図。
【図３】本考案の連帯７を短縮した正面図。
【図４】本考案、伸張した連帯７を示す斜視図。
【図５】本考案、連帯７を短縮して携帯ケ−スに収納した状態を示す、一部を欠いた斜視図。
【符号の説明】
１      誘導管１２      誘導管２３      誘導管３１’    ストッパ−１’２’    ストッパ−２’３’    ストッパ−３’４      携帯ケ−ス４５      接触部５６      接触部６７      連帯７
【図１】
0003106417.tif 000003
【図２】
0003106417.tif 000004
【図３】
0003106417.tif 000005
【図４】
0003106417.tif 000006
【図５】
0003106417.tif 000007
(57)【要約】【課題】一体成形の際に冷却効果が高く、側面の見栄えがよく、しかも履き心地のよい、軟質合成樹脂製の履物を提供することである。【解決手段】軟質合成樹脂の一体成形により形成される履物１において、その底部２の後半部に当たるかかと部の側面に、連続する溝４を設けることにより、冷却効果を高めるとともに、シンプルでデザイン性が高く、またクッション性に富んだ履物１を構成したのである。【選択図】図１
0003106412.tif 000002
【実用新案登録請求の範囲】
【請求項１】
軟質合成樹脂の一体成形により形成される履物において、かかと部の側面に沿って連続する溝を設けたことを特徴とする履物。
【請求項２】
上記溝の断面形状を円弧状にした請求項１記載の履物。
【考案の詳細な説明】
【技術分野】
【０００１】
この考案は、軟質合成樹脂の一体成形により形成されるサンダル等の履物に関する。
【背景技術】
【０００２】
サンダル等の履物を軟質合成樹脂の一体成形により形成する場合、かかと部は、肉厚が大きいので、かかと部の冷却に最も時間を要する。このため、かかと部の冷却効果を高めるために、従来、図２に示すように、かかと部に、一定間隔で柱１０が立ち並ぶように、凹所１１を設けることが行われている（特許文献１）。
【０００３】
しかしながら、上記のように、かかと部の側面に凹所１１を設けると、凹所１１部分に穴が開いたように見えるため、体裁が悪く、デザイン上の制約も受ける。
【０００４】
また、砂利道などで、小石が凹所１１部分に詰まって履き心地が悪くなるという問題もあった。
【特許文献１】実公昭６４−８２号公報
【考案の開示】
【考案が解決しようとする課題】
【０００５】
そこで、この考案の課題は、軟質合成樹脂の一体成形の際に、冷却効果が高く、しかも側面の見栄えがよく、履き心地のよい、軟質合成樹脂製の履物を提供することにある。
【課題を解決するための手段】
【０００６】
上記の課題を解決するため、この考案は、軟質合成樹脂の一体成形により形成される履物のかかと部の側面に、連続する溝を設けたのである。
【０００７】
また、上記した溝の断面形状を円弧状にするのが好ましい。
【考案の効果】
【０００８】
かかと部の側面に連続する溝を設けることにより、軟質合成樹脂の一体成形の際に、側面からの放熱面積が増加し、かかと部の冷却時間を短縮できる。
【０００９】
また、かかと部の側面に連続する溝を設けることにより、体重はかかと部の中心部分でしっかりと保持することができ、しかも周辺部の可撓性が増すため、安定性に優れ履き心地がよい。
【００１０】
また、側面から見ても、穴のない連続した溝形状であるため、デザインがシンプルで見栄えもよい。
【００１１】
さらに、溝の断面形状を円弧状にすることにより、体重を均等に分散し、履物をクッション性に富んだものとすることができる。
【考案を実施するための最良の形態】
【００１２】
以下図面を参照しつつ、この考案の実施の形態について説明する。
図1（ａ）（ｂ）には、この考案にかかる履物１の例として、発泡ウレタンなどの軟質合成樹脂により、底部２のつま先側に、甲ベルト３を一体に成形したサンダルを示している。
【００１３】
また、図1（ａ）および（ｂ）に示すように、かかと部の側面には、連続する溝４を設けている。この溝の形状はどのようなものでも構わないが、体重を均等に分散し、履物をクッション性に富んだものとするには、図1（ｂ）に示すように、断面円弧状に形成するのが好ましい。
【００１４】
なお、溝４の数は特に制限されず、図１（ｃ）に示すように、２つの溝を平行に並べることもできる。
【図面の簡単な説明】
【００１５】
【図１】（ａ）は、この考案の実施形態にかかる履物を後方より見た斜視図、（ｂ）はその背面図、（ｃ）はこの考案の他の実施形態にかかる履物の背面図
【図２】従来の履物の側面図
【符号の説明】
【００１６】
１  履物
２  底部
３  甲ベルト
４  溝
１０  柱
１１  凹所
【図１】
0003106412.tif 000003
【図２】
0003106412.tif 000004
(57)【要約】      （修正有）【課題】果実飲料の濃淡を、製造中に検出する濃淡検出器を提供する。【解決手段】原料を溶液投入部１から検出用透明パイプ７に流し、照明部５の中を透過し、ライセンス６で検出し、検出透過レベル表示部８に入る。混合範囲指定部１０で１０〜１５％とすると、比較部９で輝度レベルとの比較を取り、ほぼ等しければ範囲判定検出部１１から指定範囲通過用バルブ１２に指示を送り、指定混合比の果実飲料出口２へ溶液が出る。これで指定％となる。【選択図】図１
0003106419.tif 000002
【実用新案登録請求の範囲】
【請求項１】
果実飲料の濃淡を検出する装置に於いて、
１．    果実飲料を透明パイプで搬送する検査搬送部。
２．    透明のパイプ内で光の透過量を測定するためのラインセンサと、照明を配した計測部。
３．    光の透過量と、果実飲料の濃度との関係換算の電子計測部を備え、任意の範囲の濃度を指定して範囲内と範囲外に選択する切換部を有する濃度判別部。
４．    濃度指定部を配し、上流混合部にフィードバックし、希望濃度に維持する信号発生部を持つ。
以上の構成から成る果実飲料の濃淡検出機。
【考案の詳細な説明】
【考案の詳細な説明】
【技術分野】
【０００１】  本考案は、濃度分類の技術分野に属するものである。
【背景技術】
【０００２】  果実飲料は果実に水を加えて、例えば１５％の濃度という風に規定している。濃いと酸味が強すぎ、薄いと味がないという具合で品質に影響する。
そこで現在は、１００本に１本とかの割合で抜き取り検査をし、濃度を測定して生産にフィードバックしている状況である。
【考案が解決しようとする課題】
【０００３】  生産中の果実飲料から直接濃淡を測り、万一不良があれば分離し、濃度出力を加水混合機にフィードバックし、一定濃度にする事を目的とする。
その上、もし規定濃度外の飲料ができてしまったときは、範囲外に切換える機能ももっている。
【課題を解決するための手段】
【０００４】  先ず、濃度％対、透過量の関係表が必要で、図２に於いて果実量５％の溶液▲１５▼、果実量１０％の溶液▲１６▼・・・・・果実量９５％の溶液（ｎ）を流して、ラインセンサ▲６▼でピックアップして、検出透過レベル表示部▲８▼の輝度レベルを、図３の輝度レベルの変化量（Ａ）軸に記入する。（Ｂ）軸は果実量５％、１０％、１５％・・・・・９５％の濃度量を記入してあり、輝度レベルで濃度が判る様にする。この交点を、輝度レベルと果実の濃度との関係線（Ｃ）で表す。
【考案を実施するための最良の形態】
【０００５】  図１の如く、原料を溶液投入部▲１▼から検出用透明パイプ▲７▼に流し、照明部▲５▼で中を透過し、ラインセンサ▲６▼で検出し、検出透過レベル表示部▲８▼に入る。混合範囲指定部▲１０▼で１０〜１５％とすると、比較部▲９▼で輝度レベルとの比較を取り、ほぼ等しければ範囲判定検出部▲１１▼から指定範囲内通過用バルブ▲１２▼に指示を送り、指定混合比の果実飲料出口▲２▼へ溶液が出る。これで指定％となる。範囲外ならば指定範囲外通過用バルブ▲１３▼が開き、指定外の果実飲料出口▲３▼へ不良％液が出る。
尚、範囲内より減少方向か、増大方向かの変位出力▲１４▼から溶液混合部へＯＫ信号、増加信号、減少信号が出て混合比の制御もできる。尚、不良異物があればそれも▲３▼へ排出される。
【考案の効果】
【０００６】  抜き取り検査で溶液の濃度不良と出た場合捨てるしかないが、本方式を使えば、不良が出始めた時点で正常に変えることができるので、経済効果は大である。そして、味の均一化はメーカーの希望である。
【図面の簡単な説明】
【図１】  本考案の機器構成図である。
【図２】  本考案の混合％と検出レベルの対称表を作る構成図である。
【図３】  混合％と検出レベルの表である。
【符号の説明】
▲１▼      溶液混入部
▲２▼      指定混合比の果実飲料出口
▲３▼      指定外の果実飲料出口
▲４▼      照明電源
▲５▼      照明部
▲６▼      ラインセンサ
▲７▼      検出用透明パイプ
▲８▼      検出透過レベル表示部
▲９▼      濃度判別部
▲１０▼    混合範囲指定部
▲１１▼    範囲判定検出部
▲１２▼    指定範囲内透過用バルブ
▲１３▼    指定範囲外透過用バルブ
▲１４▼    範囲内より減少方向か、増大方向かの変位出力
▲１５▼    果実量５％の溶液
▲１６▼    果実量１０％の溶液
（ｎ）      果実量９５％の溶液
（Ａ）      輝度レベルの変化量
（Ｂ）      果実量５％、１０％・・・・・９５％の濃度量
（Ｃ）      輝度レベルと果実の濃度との関係線
【図１】
0003106419.tif 000003
【図２】
0003106419.tif 000004
【図３】
0003106419.tif 000005
(57)【要約】【課題】  パンチングメタルと遜色のない外観を有しながら、軽量かつ耐久性よく使用でき、しかも比較的安価に製造できる建築用パネルを提供する。【解決手段】  ２枚の金属薄板１ａ，１ｂの間に合成樹脂層２を挟持してなる積層板を使用し、その片面の金属薄板１ａ上に直径３〜１０ｍｍの円形の窪み３を５〜２５ｍｍ間隔で多数個存在させ、他面の金属薄板１ｂ上の前記窪み３に対応する位置に前記窪み３と実質的に同一の径の円形の突起４を存在させることに特徴を有するもので、前記窪み３の深さを０．５〜１．５ｍｍ、前記突起４の高さを前記窪みの深さの３０〜１００％とする。なお、合成樹脂層２としては、発泡倍率１．５〜６程度の発泡樹脂層を使用するのが好ましい。【選択図】図２
0003106413.tif 000002
【実用新案登録請求の範囲】
【請求項１】
金属薄板２枚の間に合成樹脂層を挟持してなる積層板からなり、片面の金属薄板上に直径３〜１０ｍｍの円形の窪みが５〜２５ｍｍ間隔で多数個存在し、他面の金属薄板上の前記窪みに対応する位置に前記窪みと実質的に同一の径の円形の突起が存在するものであり、前記窪みの深さが０．５〜１．５ｍｍであり、前記突起の高さが前記窪みの深さの３０〜１００％であることを特徴とする建築用パネル。
【請求項２】
前記合成樹脂層が樹脂発泡体からなる請求項１の建築用パネル。
【請求項３】
前記直径が４〜７ｍｍである請求項１又は２の建築用パネル。
【請求項４】
前記窪みが５〜２５ｍｍ間隔で存在する請求項1〜３いずれか１項の建築用パネル。
【考案の詳細な説明】
【技術分野】
【０００１】
本考案は、化粧板や目隠し板として有用な、意匠性および耐久性に優れた建築用パネルに関する。
【背景技術】
【０００２】
化粧板や目隠し板として、金属板に多数の穴を設けたパンチングメタルが広く使用されている。しかし、穴の存在により、板の強度が落ちる、内部が透視でき、目隠しとして有効に使用し難い等の欠点があった。
そこで、例えばパンチングメタルを波形状とし、開口率を特定の範囲に限定することにより、これらの欠点を解消しようとする試みがある（特許文献１参照）。 しかし、このようなパンチングメタルでは、金属板を無駄に多く使用する必要があり、高価につくばかりでなく、波形状の板に多くの穴が角度を変えて存在するこことなるため、汚れやすい欠点もあった。
【特許文献１】特開平２００１−３２４３７号公報
【考案の開示】
【考案が解決しようとする課題】
【０００３】
本考案は、従来のパンチングメタルと遜色のない外観を有しながら、耐久性よく使用でき、しかも比較的安価に製造できる建築用パネルを提供することを課題とする。
【課題を解決するための手段】
【０００４】
本考案では、金属薄板２枚の間に合成樹脂層を挟持してなる積層板を使用することにより、上記課題を解決した。合成樹脂層のクッション性を利用し、片面の金属薄板上に直径３〜１０ｍｍの円形の窪みが５〜２５ｍｍ間隔で多数個存在させ、他面の金属薄板上の前記窪みに対応する位置に前記窪みと実質的に同一の径の円形の突起を存在させるものであり、前記窪みの深さが０．５〜１．５ｍｍであり、前記突起の高さが前記窪みの深さの３０〜１００％（好ましくは４０〜９０％）であるものとする。
【０００５】
本考案のパネルは、合成樹脂層で補強されるので、その表裏に積層される金属薄板は、５０〜３００μｍ程度の厚さで十分である。なお、金属は、耐蝕性あるものであればいずれでもよい。
【０００６】
次に、合成樹脂層の厚さは特に限定されないが、通常１〜７ｍｍ程度の厚さでよく、特に２〜５ｍｍ程度であるのが扱い易い。また、合成樹脂としては、例えばポリオレフィン類、ポリエステル、ポリ塩化ビニルなどが使用されるが、発泡倍率１．３５〜６倍の発泡体を使用するのが、軽量化、断熱、遮音性などの点から好ましい。
【考案の効果】
【０００７】
かかる本考案のパネルは、表裏に凹凸模様を有する金属薄板が存在するため、表裏イメージの異なるリバーシブルパネルとして使用でき、しかも、合成樹脂層をクッション材として、凹凸模様が適度の深さ（又は高さ）の円形に形成されるため、金属薄板に折れ目や切り目が生ずることなく、全体に金属製であるとの外観を有する、軽量にして、耐久性ある、意匠効果の高い製品を得ることができる。
【考案を実施するための最良の形態】
【０００８】
次に、本考案の実施例を図面に従って説明する。
図１のパネルは、厚さ１３０μｍの金属薄板（アルミニウム薄板）１ａ、１ｂの間に、厚さ２．４ｍｍ合成樹脂層（発泡倍率１．５倍のポリエチレン発泡体）２を挟持一体化した積層板からなるものであり、その片面に直径５ｍｍ、深さ０．８ｍｍの円形えくぼ状の窪み３が６０個／１００ｃｍ2  の割合で設けられており、他面には、前記窪み３に対応する位置に、実質的に同一径の高さ０．４ｍｍの突起４が設けられているものである（図２参照）。
【０００９】
このパネルの凹凸模様は、前記積層板の表裏を合成樹脂フィルムで覆い、その上から適度の圧でパンチングすることにより得られるものであり、合成樹脂フィルムを剥離して、製品化することができる。
【００１０】
かかる製品は、表裏共にパンチングパネルの外観を有しながら、実際には穴が存在しないため、強度が強く、バルコニーなどの目隠しパネルとしても、室内を除かれる心配がない。また、パンチングパネルの欠点である強風時の風切り音もなく、扱い易い製品となる。更に、金属板における円形模様部分に裁断面が生じないため、カラーアルミなどの使用も可能となり、意匠性に優れた製品を得ることもできる。
【００１１】
図２に本考案の他の一例を示す。図１の例では、窪み３が４５°の角度で６０個／１００ｃｍ2  の割合で千鳥状に等間隔に（隣接する４個の窪み３が正方形の頂点に位置するように）設けられているが、図２の例では、窪み３が６０°の角度に８０個／１００ｃｍ2  の割合で千鳥状に等間隔に（隣接する３個の窪み３が正三角形の頂点に位置するように）設けられている。図１及び２いずれの製品も、非常に実用性あるものであったが、図１の例では、縦横均等に窪み３が存在するため、反りが低減し、また、縦横方向を変換して使用できるので、無駄なく使用できる利点がある。
【産業上の利用可能性】
【００１２】
本考案のパネルは、このように軽量にして、耐久性及び意匠性に優れるため、マンションなどのバルコニーの目隠し、隔壁、屋内及び屋外の意匠パネル等として幅広く使用できる。
【図面の簡単な説明】
【００１３】
【図１】本考案の一例の平面図である。
【図２】図１の例の拡大断面図である。
【図３】本考案の一例の平面図である。
【符号の説明】
【００１４】
１ａ  金属薄板
１ｂ  金属薄板
２    樹脂層
３    窪み
４    突起
【図１】
0003106413.tif 000003
【図２】
0003106413.tif 000004
【図３】
0003106413.tif 000005
(57)【要約】      （修正有）【課題】商品名や会社名の広告媒体が大量に氾濫している現代の中で、販売員個人も個人としての知名度を上げる努力が求められており、販売員個人としての広告媒体は目下のところ、販売員個人の名刺が最大に使用されているが、不幸にして、販売員個人の名刺の多くは注意を払われることなく、破棄されるか無視される等の問題を解決する名刺つき糊つき付箋手帳を提供する。【解決手段】有用な糊つき付箋４と名刺６を組み合わせことで、名刺交換後直ちに名刺の破棄や無視される確率を下げる効果が期待出来、更に、糊つき付箋４を使い切るまでの間、名刺を添付した糊つき付箋手帳を手元またはデスク上に保留される可能性もあり、個人の広告媒体としては、すぐれた糊つき付箋手帳を提供する。【選択図】図１
0003106464.tif 000002
【実用新案登録請求の範囲】
【請求項１】
複数寸法の糊つき付箋手帳に名刺を貼り付ける。
【考案の詳細な説明】
【考案の詳細な説明】
【考案に属する技術分野】
【０００１】  本考案は、名刺寸法の片開き手帳に複数寸法の公知の糊つき付箋（ポストイット（商標））を配置し、その手帳の台紙表紙上面全面、又は一部に公知の糊を付し、糊つけ面に公知の保護フイルムを持たせ、必要に応じて、名刺を貼り付けることが出来る糊つき付箋手帳に関するものである。
【背景技術】
【０００２】  複数寸法の糊つき付箋をもつ糊つき付箋手帳の台紙表紙は、白紙または既に何らかの図柄、例えば会社名、商品名等が印刷をされて広告媒体として使用されていた。
【考案が解決しようとする課題】
【０００３】  しかしながら、上記のような方法では、台紙表紙が白地の物は広告媒体として使用しがたく、一方事前に台紙表紙に会社名、商品名等を印刷するには、大量の数量が必要であり、又昨今の販売員個人の個人の売り込みのための個人の広告物とするには、事前に名刺を印刷する必要があり、その量が個人使用には大量すぎて、個人の広告物としては利用出来なかった。
【課題を解決する為の手段】
【０００４】  上記課題を解決する手段として、糊つき付箋手帳の台紙表紙の上面全面、又は一部に糊を塗布し、その糊面に名刺を貼り付けることで、名刺つき糊つき付箋手帳を提供できる。
【考案を実施するための最良の形態】
【０００５】    糊つき付箋手帳の台紙表紙の上面全面、又は一部に糊を塗布し、その糊面を保護する合成樹脂のフイルムを糊面に密着させ、糊面を保護する。必要時にその糊面の保護層である合成樹脂のフイルムを剥離し、糊面を出し、その糊面に名刺を貼り付けることで、名刺つき糊つき付箋手帳を提供できる。【０００６】  名刺を貼り付けた糊つき付箋手帳の台紙表紙の裏面には、販売員が扱う商品名、商品特徴等の印刷することが出来、組織としての広告媒体と個人としての広告媒体を兼ね備えることが出来る。【０００７】  名刺を貼り付けた糊つき付箋手帳の台紙表紙の裏面にも、複数寸法の糊つき付箋を配置し、糊つき付箋の種類を多くすることも出来る。【０００８】  名刺を貼り付ける糊つき付箋手帳のサイズを名刺サイズより大きい所謂５号サイズ等と大きくし、一部名刺を貼り付ける部位を残し、その他の部位に製品広告写真等を印刷し、製品、個人共用の広告媒体として使用することも出来る。
【実施例】
【０００９】  図１に示すように台紙表紙に名刺を貼り付ける【００１０】  図３に示すよう台紙表紙裏面に複数寸法の糊つき付箋を配置できる。【００１１】  図４に示すように大きなサイズの手帳台紙表紙には、製品写真と名刺をともに配置できる
【考案の効果】
上述で説明したように、本考案は、糊つき付箋手帳の台紙表紙全面又は一部に名刺を貼り付ける機能を持たせることにより、これまで糊つき付箋手帳を大量に発注し、宣伝媒体として使用していた大手の組織体のみならず、販売員個人が糊つき付箋手帳を個人の宣伝媒体とすることを可能とした。
【図面の簡単な説明】
【図１】  本考案の糊つき付箋手帳の俯瞰図
【図２】  本考案の糊つき付箋手帳断面図
【図３】  本考案の糊つき付箋手帳の見開き図
【図４】  本考案の糊つき付箋手帳台紙表紙上の名刺貼り付け一例図
【符号の説明】
１  台紙
２  糊
３  糊面保護フイルム
４  糊つき付箋
５  広告写真
６  名刺
【図１】
0003106464.tif 000003
【図２】
0003106464.tif 000004
【図３】
0003106464.tif 000005
【図４】
0003106464.tif 000006
【手続補正書】
【提出日】平成16年7月29日(2004.7.29)
【手続補正１】
【補正対象書類名】実用新案登録請求の範囲
【補正対象項目名】全文
【補正方法】変更
【補正の内容】
【書類名】    実用新案登録請求の範囲【請求項１】手帳表紙上面に全面又は一部に糊、及び糊面保護フィルムを持つ事を特徴とする糊つき付箋手帳。
(57)【要約】      （修正有）【課題】注液器の容量を充分に使っても注液のとき液体の下だれをおこさせない構造にする。【解決手段】注液器の蓋３をのせる蓋受け部４の周りの高さを、注ぎ口のある面５を周辺より１〜１.５ｃｍ高くする。【選択図】図１
0003106469.tif 000002
【実用新案登録請求の範囲】
【請求項１】
急須、土瓶、醤油注ぎなど注液器の蓋まわりからの液体の下だれ防止構造をつける
【考案の詳細な説明】
【技術分野】
【０００１】      本考案は  急須、土瓶などの蓋つき注液器の下だれに関するものである
【背景技術】
【０００２】      一般に注液器の蓋をのせる所の立ち上がり部分は水平に出来ている
注ぎ口が  蓋をのせる所より下にあると  蓋受け部分いっぱいには液体をいれられない  逆に  注液部の注ぎ口が蓋受け部分より上にあると  容量いっぱいに液体を入れることが出来る  しかしこの状態で注液する時  非常に注意深く注がないと  注ぎ口が後引きのない構造になっていても蓋まわりから液漏れがして  注液部の接続部分をまわって  下だれをする
【考案の開示】
【考案が解決しようとする課題】
【０００３】      注液器の容量を有効に使用し  安易に注液するには  どのような構造が望ましいか【０００４】      注液器の蓋の周りからの液漏れを防止するために  そこから出てきた液体を元に戻すことである
【課題を解決するための手段】
【０００５】    注液器の蓋周りから漏れだした液が  注液部の基をまわって下だれするのを防止するため  蓋受け部分の立ち上がりの高さを  注ぎ口を中心に縁周りの３分の１くらい山なりに高くする（図面参考）
【考案の効果】
【０００６】      縁周りの嵩あげは１〜１．５センチで下だれ防止に充分である  土瓶の蔓つきにするときは上部に穴をあけることも可能である  また直接取手部分を付けることも可能である
立ち上がり部分を全周高くすると  蓋の扱いがしにくくなるので  帽子キャップのつば様にするとよい
【実施例】
【０００７】      自家製の急須で誰が使用してもテーブルや茶托を濡らさない
【産業上の利用可能性】
【０００８】      製品として型作りが容易な構造であるから  量産可能である
【図面の簡単な説明】
【０００９】
【図１】は急須を側面から見た図
【図２】は取手あとずけの土瓶を注ぎ口の付いている方から見た図
【図３】は急須を斜め上から見た図
【符号の説明】
【００１０】    １急須
２注口部
３蓋
４蓋受け部
５下だれ防止構造（斜線部分）
【図１】
0003106469.tif 000003
【図２】
0003106469.tif 000004
【図３】
0003106469.tif 000005
【手続補正書】
【提出日】平成16年7月29日(2004.7.29)
【手続補正１】
【補正対象書類名】実用新案登録請求の範囲
【補正対象項目名】全文
【補正方法】変更
【補正の内容】
【実用新案登録請求の範囲】
【請求項１】
ふたをささえる部分の立ち上がりが一部高くなっている注液器
(57)【要約】【課題】本考案は子供用ランドセルに、メッセージが交換できる標示器を設け子供を社会的危険から、守り、又、教育する。【解決手段】本考案は子供用ランドセル６に、標示器本体４を、設け、指８で簡単にメッセージカード５が、マジックテープ１を開閉し、交換出き（メッセージカード用選択つまみ部３にて）子供用ランドセル蓋７に交通安全表示２と併用し、子供自身の教育、社会への呼びかけ、安全意識の高揚に役立つ。【選択図】図４
0003106470.tif 000002
【実用新案登録請求の範囲】
【請求項１】
子供用ランドセル蓋部に交通安全標示と標示用標示器を設けたことを特徴とするランドセル標示器
【請求項２】
子供用ランドセル標示器は子供用ランドセルに糊付けでも、縫い合わでもできる。
【請求項３】
子供用ランドセル標示器の標示器カードは標示器カード上部のつまみ部に標示メッセージのメッセージがプリントされている。
【考案の詳細な説明】
【技術分野】
【０００１】本考案は子供用ランドセル蓋に交通安全メッセージ及び各標示メッセージを設けたものである。
【背景技術】
【０００２】子供用ランドセルに於いて交通安全カバーをしていた。
【考案の開示】
【考案が解決しようとする課題】
【０００３】子供用ランドセルは交通安全表示カバーのみで、社会では、交通安全以外にも子供にとって、社会的危険要素があるものである。各種メッセージが標示できる子供用ランドセル標示器に依って、子供自身への呼びかけ、社会に対しての呼びかけが可能になり、子供を取り巻く社会的危険から子供を守り教育しようとするものである。
【課題を解決するための手段】
【０００４】子供用ランドセルに、子供用ランドセル標示器を糊付け、又は縫い合わせ、子供用ランドセル標示器は、片側は交通安全表示、もう一方にカード交換する標示器を設け、カード交換標示器は、常時、数枚のメッセージ入カードを内蔵し、子供が表示したいメッセージは、子供自身で、選ぶことが出来る。選ぶ時は、標示器カード上部のつまみ部に表示したいメッセージが、プリントされ、番号も付されているので、それを、見て、カードを、選ぶ。選んだカードは、子供用ランドセル標示器本体に差し込む。差し込んだ後、マジックテープで固定する。そうすれば、表示したいメッセージが標示可能に、なり、目的は達成される。
【考案の効果】
【０００５】上述の様に、本考案の子供用ランドセル標示器は、従来の交通安全表示も標示可能で、効果があり、又、子供用ランドセル標示器本体に、差し込んだメッセージ入りカードは、数枚のメッセージ入りカードに依り、交通安全文字以外の各種メッセージが表示可能となり、子供の社会的危険から、注意を呼びかけ、子供の教育、子供の安全の為の社会への呼びかけが、出来る様に、なった。
【考案の実施するための最良の形態】
【０００６】子供用ランドセル蓋部に設けられた子供用ランドセル標示器は、カードメッセージ固定の為の、マジックテープを除し、表示したいメッセージカードをメッセージカード上部に設けられたつまみ部のプリントされた各種メッセージもしくは、数字番号を見て選び出し子供用ランドセル標示器本体の最初の位置に選んだメッセージカードを子供用ランドセル標示器本体に、差し込む。最初の位置に、差し込まれたメッセージカードは、これで、表示可能状態となる。次に、子供用ランドセル標示器本体に設けられているマジックテープでメッセージカード類が、動いたり、外れたり、しない様、固定する。これで、完了と、なる。
【実施例】
【０００７】以下、添付図面に依って、一実施例を説明する。１はマジックテープで４本体に接着され、５メッセージカードの脱落防止用である。２はプリントされた交通安全表示である。３はメッセージカード選択用つまみ部である。図３に於いて３ａメッセージカード選択用つまみ部は、５ａメッセージカードのメッセージが番号と供にプリントされていて５ａメッセージカードの出入れにも利用される。【０００８】４は５メッセージカード内蔵本体である。４メッセージカード内蔵本体は５メッセージカードが数枚、格納できる。１ａマジックテープは、格納された５ａメッセージカードを固定する役目を持つ。４ａ本体は、５ａメッセージカードを格納する。２及び２ａは、交通安全表示がプリントされている。【０００９】本考案の実施例は上述の如き構成から、なるものであるから、子供用ランドセル蓋部（図４参照）に、糊付け、又は縫合にて、取付られるものとする。【００１０】
【図面の簡単な説明】
【図１】本考案の子供用ランドセル標示器の正面図である。
【図２】子供用ランドセル標示器の各メッセージカードである。
【図３】交通安全表示及び本体、メッセージカードの拡大図である。
【図４】子供用ランドセル標示器がランドセルに、取けられた使用状態を示す図である。
【符号の説明】
【００１１】１  マジックテープ２  交通安全表示図３  メッセージカード選択用つまみ部４  子供用ランドセル標示器本体５  メッセージカード６  ランドセル７  ランドセル蓋８  手
【図１】
0003106470.tif 000003
【図２】
0003106470.tif 000004
【図３】
0003106470.tif 000005
【図４】
0003106470.tif 000006
【手続補正書】
【提出日】平成16年8月6日(2004.8.6)
【手続補正１】
【補正対象書類名】実用新案登録請求の範囲
【補正対象項目名】全文
【補正方法】変更
【補正の内容】
【実用新案登録請求の範囲】
【請求項１】
子供用ランドセル蓋部に交通安全標示と標示用標示器を設けたことを特徴とする子供用ランドセル標示器